(57)【要約】【課題】多様な照明を可能とする面状照明装置を提供する。【解決手段】実施形態によれば、面状照明装置は、支持体１２と、支持体に直線状に並んで配置された複数の点光源と、点光源と対向する入射端面および光を出射する出射面を有するシート状の導光板１８と、支持体に取り付けられ、導光板の入射端面側の端部を固定する固定部材と、を備え、導光板は、支持体から延出し、面状の発光部を形成している。【選択図】図１
2016004609.tif 000002
【特許請求の範囲】
【請求項１】
支持体と、
前記支持体に直線状に並んで配置された複数の点光源と、
前記点光源と対向する入射端面および光を出射する出射面を有するシート状の導光板と、
前記支持体に取り付けられ、前記導光板の前記入射端面側の端部を固定する固定部材と、を備え、
前記導光板は、前記支持体から延出し、面状の発光部を形成する面状照明装置。
【請求項２】
前記固定部材は、前記支持体に固定されているとともに、前記導光板の表面と対向する対向面と、この対向面に突設され前記導光板の表面を押圧する複数の押圧突起と、を有する請求項１に記載の面状照明装置。
【請求項３】
前記導光板の前記端部の少なくとも幅方向の両端部は、前記導光板を貫通する固定ねじにより前記固定部材にねじ止めされている請求項１又は２に記載の面状照明装置。
【請求項４】
前記導光板は、前記端部に形成され、前記導光板の幅方向に並んで設けられた複数の貫通孔を有し、前記端部は、前記貫通孔を通して前記固定部材にねじ込まれた複数の固定ねじにより前記固定部材にねじ止めされている請求項１又は２に記載の面状照明装置。
【請求項５】
前記導光板の前記端部は、前記点光源からの光が通らない複数の非到達領域を有し、前記貫通孔は、それぞれ前記非到達領域に設けられている請求項４に記載の面状照明装置。
【請求項６】
前記導光板は、前記点光源からの所定距離以上離れた領域に設けられた散乱マークを有し、前記貫通孔は、前記点光源から前記所定距離未満の領域に設けられている請求項５に記載の面状照明装置。
【請求項７】
前記固定部材は、前記支持体に固定されているとともに、前記導光板の出射面と対向する第１対向面と、この第１対向面に突設され前記導光板の出射面を押圧する複数の第１押圧突起と、を有する第１固定部材と、
前記支持体に固定されているとともに、前記出射面と反対側の前記導光板の裏面に対向する第２対向面と、この第２対向面に突設され前記導光板の裏面を押圧する複数の第２押圧突起と、を有する第２固定部材と、を備え、
前記第１固定部材および第２固定部材の第１および第２押圧突起間に前記導光板の端部を挟持している請求項１に記載の面状照明装置。
【請求項８】
前記第１押圧突起の頂部と前記第２押圧突起の頂部とが前記導光板を挟んで互いに対向している請求項７に記載の面状照明装置。
【請求項９】
前記第１押圧突起の頂部と前記第２押圧突起間の凹部とが前記導光板を挟んで互いに対向している請求項７に記載の面状照明装置。
【請求項１０】
前記第１および第２固定部材は、前記導光板の幅方向、全長に亘って延び、長手方向中央部が、長手方向両端部に対して、前記導光板側にベントして形成されている請求項７に記載の面状照明装置。
【請求項１１】
前記導光板を貫通して前記第１固定部材と第２固定部とをねじ止めする複数の固定ねじを有し、前記固定ねじは、前記隣合う点光源間で前記入射端面の近傍の位置で前記導光板を貫通している請求項７ないし１０のいずれか１項に記載の面状照明装置。
【請求項１２】
前記第１および第２固定部材と前記支持体との間に配置された遮熱部材を備えている請求項７ないし１１のいずれか１項に記載の面状照明装置。
【請求項１３】
前記支持体は、筐体と、筐体内に配設され、平坦な支持面を有する支持ベースと、前記支持面上に固定された基板と、を備え、
前記点光源は、前記基板上に実装され、直線状に並んで配置された複数のＬＥＤを有し、
前記導光板の前記端部は、前記筐体内に挿通され、前記固定部材により前記基板および支持ベースに固定されている請求項１ないし１２のいずれか１項に記載の面状照明装置。
【請求項１４】
前記筐体は、中心軸の周りで回転自在に支持された筒状の巻取り筐体で構成され、
前記導光板は、フレキシブルな導光板であり、前記巻取り筐体を回転することにより、巻取り筐体の外周に巻取り可能に形成されている請求項１３に記載の面状照明装置。
【請求項１５】
前記支持ベースは、前記巻取り筐体内に配置され、前記支持面は前記巻取り筐体の中心軸から離間して、かつ、この中心軸と平行に位置し、
前記巻取り筐体は、前記支持面と対向し前記巻取り筐体の軸方向に延びるスリットあるいは開口を有し、
前記導光板の端部は、前記固定部材により前記支持面上に固定され、前記導光板は、前記スリットあるいは開口を通して前記巻取り筐体の外方へ延出している請求項１４に記載の面状照明装置。
【請求項１６】
前記巻取り筐体は、前記スリットあるいは開口の巻取り側に位置し、前記中心軸側に円弧状に湾曲した湾曲部を備えている請求項１５に記載の面状照明装置。
【請求項１７】
前記湾曲部は、前記導光板が前記巻取り筐体に巻き取られた場合に、前記出射面と反対側の前記導光板の裏面に対向する位置に設けられている請求項１６に記載の面状照明装置。
【請求項１８】
前記スリットあるいは開口を規定する前記巻取り筐体のエッジ部に装着されたエッジガードを備えている請求項１５ないし１７のいずれか１項に記載の面状照明装置。
【請求項１９】
前記エッジガードは、前記導光板が前記巻取り筐体に巻き取られた場合に、前記出射面と反対側の前記導光板の裏面に対向する位置に設けられている請求項１８に記載の面状照明装置。
【請求項２０】
前記巻取り筐体は、前記支持ベースに対して前記スリットあるいは開口と反対側に設けられた複数の通気孔を有する請求項１５ないし１９のいずれか１項に記載の面状照明装置。
【請求項２１】
前記支持ベースに取付けられ、前記通気孔に対向するヒートシンクを備えている請求項２０に記載の面状照明装置。
【請求項２２】
前記巻取り筐体の軸方向両端にそれぞれ装着された２つの支持キャップを備え、各支持キャップは、前記巻取り筐体の中心軸と同軸的に延びる枢軸部と、前記巻取り筐体内に連通する通気孔とを有し、
前記支持キャップの枢軸部をそれぞれ回転自在に支持する一対のブラケットを更に備えている請求項１４ないし２１のいずれか１項に記載の面状照明装置。
【請求項２３】
一方の支持キャップの枢軸部に前記巻取り筐体と同軸的に取付けられているとともに、前記ＬＥＤに電気的に接続された環状の給電端子と、
一方のブラケットに取付けられ、前記給電端子に接触する給電ブラシと、
前記給電ブラシ、給電端子を通して前記点光源に電力を供給する電源と、を備えている請求項２２に記載の面状照明装置。
【請求項２４】
前記導光板の全体が前記巻取り筐体から引き出されると前記複数の点光源への給電を許容する制御部を更に備える請求項１４又は２３に記載の面状照明装置。
【請求項２５】
前記巻取り筐体の中心軸に対して、前記支持面と反対側で前記巻取り筐体の内面に固定されたバランスウェイトを備えている請求項１５に記載の面状照明装置。
【請求項２６】
前記導光板の出射面上に積層された第１光学シートと、前記導光板の対向面上に積層された第２光学シートと、前記導光板、第１光学シート、および第２光学シートにそれぞれ貫通形成され、前記巻取り筐体の軸方向と直交する方向に延びる複数のガイド孔と、前記ガイド孔にそれぞれ挿通された複数のガイド部材と、を備えている請求項１４に記載の面状照明装置。
【請求項２７】
前記導光板の出射面側及び対向面側の少なくとも一方に設けられた光学シートと、前記導光板と前記光学シートとの間に挟まれた非粘着性部材とを備える請求項１４に記載の面状照明装置。
【請求項２８】
前記非粘着性部材は、前記光学シートに設けられたコーティング層、前記導光板の表面上に設けられた散乱マーク、非粘着性シート、のいずれかである請求項２７に記載の面状照明装置。
【請求項２９】
前記導光板の出射面上に積層された第１光学シートと、前記導光板の対向面上に積層された第２光学シートと、前記導光板と前記第１光学シートとの間に設けられた第１散乱マークと、前記導光板と前記第２光学シートとの間に設けられた第２散乱マークと、を備え、前記第１散乱マークの密度と前記第２散乱マークの密度が互いに異なる請求項１４に記載の面状照明装置。
【請求項３０】
前記支持体は、天井あるいは壁面に設置可能な筐体と、筐体内に配設され、平坦な支持面を有する支持ベースと、前記支持面上に固定された基板と、を備え、
前記点光源は、前記基板上に実装され、直線状に並んで配置された複数のＬＥＤを有し、
前記導光板の前記端部は、前記筐体内に挿通され、前記固定部材により前記支持ベースに固定され、
前記導光板は、前記筐体から鉛直方向に沿って垂下している請求項１ないし１１のいずれか１項に記載の面状照明装置。
【請求項３１】
前記支持体は、床面上に設置可能な筐体と、前記筐体内に配設され、平坦な支持面を有する支持ベースと、前記支持面上に固定された基板と、を備え、
前記点光源は、前記基板上に実装され、直線状に並んで配置された複数のＬＥＤを有し、
前記導光板の前記端部は、前記筐体内に挿通され、前記固定部材により前記支持ベースに固定され、
前記導光板は、前記筐体から鉛直方向、上方に延出し、起立している請求項１ないし１１のいずれか１項に記載の面状照明装置。
【請求項３２】
中心軸の周りで回転自在に支持された巻取り筐体を有する支持体と、
前記巻取り筐体内に前記中心軸に沿って直線状に並んで配置された複数の点光源と、
前記点光源と対向する入射端面および光を出射する出射面を有するフレキシブルなシート状の導光板と、
前記支持体に取り付けられ、前記導光板の前記入射端面側の端部を前記支持体に固定する固定部材と、を備え、
前記導光板は、前記巻取り筐体から垂下し、面状の発光部を形成するとともに、前記巻取り筐体を回転することにより、前記巻取り筐体の周囲に巻取り可能に形成されているロールスクリーン型の面状照明装置。
【請求項３３】
前記導光板は、前記出射面に形成された多数の散乱マークと、前記出射面と反対の対向面に設けられた反射層と、を有する請求項３２に記載のロールスクリーン型の面状照明装置。
【請求項３４】
支持体と、
前記支持体に直線状に並んで配置された複数の点光源と、
前記支持体から延出し、面状の発光部を形成する導光板であって、前記点光源と対向する入射端面および光を出射する出射面を有するシート状の導光板と、
前記支持体に取り付けられ、前記導光板の前記入射端面側の端部を固定する固定部材と、を備え、
前記導光板の前記端部は、前記点光源からの光が所定量以下となる複数の非到達領域に、前記導光板の幅方向に並んで設けられた複数の貫通孔を有し、前記貫通孔を通して前記固定部材に接続された複数の部材により前記固定部材に固定されている面状照明装置。
【請求項３５】
前記非到達領域は、前記点光源から所定距離未満、かつ前記点光源を基準として前記点光源からの光の出射方向から所定の角度以上となる領域である請求項３４に記載の面状照明装置。
【請求項３６】
支持体と、
前記支持体に直線状に並んで配置された複数の点光源と、
前記点光源と対向する入射端面および光を出射する出射面を有するシート状のフレキシブルな導光板と、
前記導光板と重なるフレキシブルな光学シートと、
前記支持体に取り付けられ、前記導光板の前記入射端面側の端部と前記光学シートの端部とを固定する固定部材と、
前記導光板の前記入射端面側の端部の反対側の他端部と前記光学シートとを、所定方向に対して相対変位可能に接続する接続部材と、
少なくとも前記導光板の他端部を覆うウェイトバーと、
を備え、
前記導光板は、前記支持体から延出し、面状の発光部を形成する面状照明装置。
【請求項３７】
前記導光板及び光学シートのうち少なくとも一方は、前記所定方向に延びたガイド孔を有し、
前記接続部材は、前記ガイド孔を貫通して前記導光板と前記光学シートとを接続する請求項３６に記載の面状照明装置。
【発明の詳細な説明】
【技術分野】
【０００１】
この発明の実施形態は、導光板を有する面状照明装置およびロールスクリーン型の面状照明装置に関する。
【背景技術】
【０００２】
近年、光源として、ＬＥＤ（ライトエミッティングダイオード）を用いた照明装置が多数提供されている。ＬＥＤは、消費電力が小さく、省エネルギに適している。
【０００３】
通常、白熱ランプあるいは蛍光灯をＬＥＤに置き換えた照明装置は、天井に設置され、室内全体を照明する。この場合、照明装置は、空気を照らすことにより、室内全体を明るく照らすものであり、エネルギの大半は、空気の照明に費やされる。そのため、部屋の特定の場所を明るくしようとする場合には、明るい照明装置を用いて、部屋全体の照度を上げる必要があり、省エネ効果が低下する。
【０００４】
また、近年、比較的暗い照明装置を多数配置し、必要な場所に必要な明るさを取る、いわゆる多灯分散照明方式の利用が望まれている。しかし、現在では、照明装置のバリエーション、選択幅が少なく、より多角的な使用が可能な照明装置が望まれている。
【先行技術文献】
【特許文献】
【０００５】
【特許文献１】特開２０１４−２９４３２号公報
【特許文献２】特開２０１０−２８１１３８号公報
【発明の概要】
【発明が解決しようとする課題】
【０００６】
この発明は以上の点に鑑みなされたもので、その課題は、省エネ効果が高く、多様な照明を可能とする面状照明装置を提供することにある。
【課題を解決するための手段】
【０００７】
実施形態によれば、面状照明装置は、支持体と、前記支持体に直線状に並んで配置された複数の点光源と、前記点光源と対向する入射端面および光を出射する出射面を有するシート状の導光板と、前記支持体に取り付けられ、前記導光板の前記入射端面側の端部を固定する固定部材と、を備え、前記導光板は、前記支持体から延出し、面状の発光部を形成する。
【図面の簡単な説明】
【０００８】
【図１】図１は、第１の実施形態にロールスクリーン型の面状照明装置を示す斜視図。
【図２】図２は、スクリーン（導光板）を巻き上げた状態における前記面状照明装置を示す斜視図。
【図３】図３は、前記照明装置の取り付けブラケットと巻取り軸とを分解して示す照明装置の分解斜視図。
【図４】図４は、前記巻取り軸の端部と支持キャップとを示す分解斜視図。
【図５】図５は、前記照明装置の巻取り軸および支持構造部の断面図。
【図６】図６は、前記照明装置における導光板の固定構造部を示す斜視図。
【図７】図７は、前記照明装置における導光板の固定構造部を示す分解斜視図。
【図８】図８は、ねじ止め前の前記導光板および固定金具を概略的に示す平面図。
【図９】図９は、第１変形例に係るねじ止め前の固定金具およびＬＥＤ基板を概略的に示す側面図。
【図１０】図１０は、第２変形例に係る固定金具を示す斜視図。
【図１１】図１１は、第３変形例に係る固定金具を示す斜視図。
【図１２】図１２は、第４変形例に係る固定金具および導光板を概略的に示す平面図。
【図１３】図１３は、第１の実施形態に係る照明装置における導光板のねじ止め位置を概略的に示す側面図。
【図１４】図１４は、第１の実施形態に係る照明装置における固定金具とＬＥＤ基板を示す側面図。
【図１５】図１４は、第５変形例に係る遮熱シート、固定金具およびＬＥＤ基板を示す側面図。
【図１６】図１４は、第１の実施形態に係る照明装置の巻取りパイプ内の空気の対流を概略的に示す図。
【図１７】図１４は、第１の実施形態に係る照明装置の巻取りパイプ内の空気の対流を概略的に示す巻取りパイプの断面図。
【図１８】図１８は、第６変形例に係る巻取りパイプを示す平面図。
【図１９】図１９は、第７変形例に係る巻取りパイプを示す断面図。
【図２０】図２０は、第８変形例に係る巻取りパイプを示す断面図。
【図２１】図２１は、第９変形例に係る巻取りパイプを示す断面図。
【図２２】図２２は、第２の実施形態に係る面状照明装置の巻取りパイプ、支持キャップ３２、導光板、固定構造部を示す分解斜視図。
【図２３】図２３は、第２の実施形態に係る面状照明装置において、導光板が垂下している状態の巻取りパイプの断面図。
【図２４】図２４は、第２の実施形態に係る面状照明装置において、導光板の巻取りを開始した状態の巻取りパイプの断面図。
【図２５】図２５は、第１０変形例に係る巻取りパイプの断面図。
【図２６】図２６は、第１１変形例に係る巻取りパイプの断面図。
【図２７】図２７は、第１２変形例に係る巻取りパイプの断面図。
【図２８】図２８は、第３の実施形態に係る面状照明装置において、導光板が垂下している状態の巻取りパイプの断面図。
【図２９】図２９は、第３の実施形態に係る面状照明装置において、導光板の巻取りを開始した状態の巻取りパイプの断面図。
【図３０】図３０は、第４の実施形態に係る面状照明装置において、導光板が垂下している状態の巻取りパイプおよび導光板の断面図。
【図３１】図３１は、第４の実施形態に係る面状照明装置において、導光板および光学シートを示す正面図。
【図３２】図３２は、第４の実施形態に係る面状照明装置において、導光板の一部を巻き取った状態の巻取りパイプおよび導光板の断面図。
【図３３Ａ】図３３Ａは、第１３変形例に係るガイド部材、導光板、光学シートを示す斜視図。
【図３３Ｂ】図３３Ｂは、第１３変形例に係るガイド部材、導光板、光学シートを示す断面図。
【図３４Ａ】図３４Ａは、第１４変形例に係るガイド部材、導光板、光学シートを示す斜視図。
【図３４Ｂ】図３４Ｂは、第１４変形例に係るガイド部材、導光板、光学シートを示す断面図。
【図３５】図３５は、第５の実施形態に係る面状照明装置を示す斜視図。
【図３６】図３６は、第６の実施形態に係る面状照明装置を示す斜視図。
【発明を実施するための形態】
【０００９】
以下図面を参照しながら、実施形態に係る面状照明装置について詳細に説明する。  
（第１の実施形態）  
図１および図２は、第１の実施形態に係るロールスクリーン型の面状照明装置をそれぞれ示す斜視図である。第１の実施形態において、面状照明装置１０は、ロールスクリーン型の面状照明装置として構成されている。図１および図２に示すように、面状照明装置１０は、支持体１２および巻取り筐体として機能する巻取りパイプ１４と、この巻取りパイプ１４を回転自在に支持する一対のブラケット１６ａ、１６ｂと、巻取りパイプ１４内に設置された複数の点光源と、スクリーンを構成するシート状の導光板１８と、を備えている。導光板１８の上端（基端）部は、巻取りパイプ１４に固定支持され、光源に対向している。導光板１８の下端（先端部）にはウェイトバー１７が取り付けられている。巻取りパイプ１４が正転あるいは逆転することにより、導光板１８が巻取りパイプ１４の周囲に巻取られ、あるいは、巻取りパイプ１４から送り出しされる。
【００１０】
ブラケット１６ａ、１６ｂを天井あるいは壁面に取り付けることにより、面状照明装置１０の導光板１８は、窓の前、あるいは、壁面に設置される。巻取りパイプ１４の軸方向一端部に操作チェーン２０が捲回されている。この操作チェーン２０の手前部分（室内側部分）あるいは奥側部分（室外側部分）を引き下げることにより、巻取りパイプ１４を正転あるいは逆転させることができる。例えば、巻取りパイプ１４を正転することにより、導光板１８が巻取りパイプ１４から送りだされ、図１に示すように、導光板１８のほぼ全長分を送り出すことにより、導光板１８は、巻取りパイプ１４から垂下され、スクリーンおよび面状の発光部を形成する。光源の非点灯時、ロールスクリーンと同様に、導光板１８は日差しや視線を遮る機能を有している。また、光源を点灯することにより、導光板１８全体が壁面照明のように柔らかく発光する。
【００１１】
巻取りパイプ１４を逆転することにより、導光板１８は巻取りパイプ１４の周囲に巻き取られ、図２に示すように、ウェイトバー１７が巻取りパイプ１４近傍に位置するまで、巻き上げることができる。なお、巻取りパイプ１４を回転する機構は、操作チェーンと滑車との組み合わせに限らず、バネの付勢力を利用して巻取りパイプを回転させる機構としてもよい。
【００１２】
次に、面状照明装置１０の各部の構成を詳細に説明する。  
図３は、第１の実施形態に係るロールスクリーン型の面状照明装置のブラケットを分解して示す斜視図、図４は、巻取りパイプの一端部と支持キャップとを示す分解斜視図、図５は、巻取りパイプの断面図、図６および図７は、導光板の取付け、固定構造部を示す斜視図および分解斜視図である。
【００１３】
図１ないし図６に示すように、支持体１２は、例えば、アルミニウムで形成された細長い円筒状の巻取りパイプ（巻取り軸）１４と、巻取りパイプ１４内に配置された支持ベース２２と、を有している。支持ベース２２は、熱伝導性の高い材料、例えば、銅により、矩形板状に形成されている。支持ベース２２は、その両側縁部が巻取りパイプ１４の内周面に固定され、巻取りパイプ１４の中心軸と平行に、かつ、巻取りパイプ１４の全長に亘って延びている。また、支持ベース２２の一方の表面は、平坦な支持面２２ａを形成している。図５に示すように、支持ベース２２は、支持面２２ａが、巻取りパイプ１４の中心軸から偏心して位置するように、例えば、中心軸から距離Ｆだけ離間して位置するように、配置されている。
【００１４】
図３ないし図５に示すように、巻取りパイプ１４の周壁に、導光板１８が挿通するスリット（開口）２４、および、放熱用の複数の通気孔２６が形成されている。スリット２４は、巻取りパイプ１４の全長に亘って、巻取りパイプ１４の中心軸と平行に延びている。また、スリット２４は、巻取りパイプ１４において、支持ベース２２の支持面２２ａと対向する領域に、かつ、巻取りパイプ１４の中心軸および支持面２２ａの中心軸と、対向する位置に設けられている。
【００１５】
複数の通気孔２６は、巻取りパイプ１４において、支持ベース２２の裏面、（支持面２２ａと反対の面）と対向する領域に設けられている。通気孔２６は、例えば、細長い矩形状を有し、巻取りパイプ１４の軸方向に沿って２列に並んで設けられている。
【００１６】
図４ないし図７に示すように、支持ベース２２の支持面２２ａ上にＬＥＤ基板（回路基板）２８が固定され、このＬＥＤ基板２８上に、点光源としての複数のＬＥＤ（ライト・エミッティング・ダイオード）３０が実装されている。ＬＥＤ基板２８は、細長い矩形状に形成され、支持面２２ａの中心軸上に配置され、巻取りパイプ１４の全長に亘ってパイプの中心軸と平行に延在している。ＬＥＤ基板２８は、一枚の連続した基板で形成してもよく、あるいは、本実施形態のように、複数枚、例えば、３枚のＬＥＤ基板２８を並べて配置してもよい。
【００１７】
複数のＬＥＤ３０は、ＬＥＤ基板２８上に実装され、巻取りパイプ１４の中心軸と平行な直線上に並んで配置されている。複数のＬＥＤ３０は、例えば、１０ｍｍ間隔で、巻取りパイプ１４のほぼ全長に亘って配列されている。各ＬＥＤ３０は、後述する導光板１８の厚さ以下の寸法、例えば、０．６ｍｍ×０．６ｍｍ角の寸法を有するＬＥＤを用いている。
【００１８】
ＬＥＤ基板２８には給電パッド３１が設けられている。この給電パッド３１を通して、複数のＬＥＤ３０に給電し、ＬＥＤ３０を点灯する。本実施形態では、給電パッド３１とＬＥＤ３０を３系統に分けて、各系統毎に点灯可能としている。全てのＬＥＤ３０を１系統に接続してもよく、あるいは、ＬＥＤ３０の配列方向に沿って、複数のＬＥＤ３０を１つ置きに２系統に接続してもよい。
【００１９】
図１、図３、図４に示すように、巻取りパイプ１４の軸方向両端に、支持キャップ３２がそれぞれ装着されている。各支持キャップ３２は、巻取りパイプ１４の端に嵌合した環状の嵌合部３２ａと、巻取りパイプ１４と同軸的に突出する円筒状の枢軸部３２ｂと、嵌合部３２ａと枢軸部３２ｂとを連結した十字形状のフレーム部３２ｃと、を有し、金属あるいは合成樹脂等により一体に成形されている。
【００２０】
各支持キャップ３２の枢軸部３２ｂは、巻取りパイプ１４の端から外側に延出している。一方の支持キャップ３２の枢軸部３２ｂに、一対の給電端子３４が３系統取付けられている。給電端子３４は、環状に形成され、枢軸部３２ｂの外周に、枢軸部３２ｂと同軸的に固定されている。一対の給電端子３４は、巻取りパイプ１４内に設けられた配線３９により、ＬＥＤ基板２８の給電パッド３１に電気的に接続されている。他方の支持キャップ３２の枢軸部３２ｂには、操作チェーン２０が係合する図示しない滑車が取付けられている。
【００２１】
なお、各支持キャップ３２において、フレーム部３２ｃ間の空間は、巻取りパイプ１４内に連通する通気孔３５を形成している。
【００２２】
図１ないし図３に示すように、巻取りパイプ１４は、両端の枢軸部３２ｂを一対のブラケット１６ａ、１６ｂの軸受部１３ａ、１３ｂにそれぞれ係合させることにより、これら一対のブラケット１６ａ、１６ｂに回転自在に支持される。一対のブラケット１６ａ、１６ｂは、例えば、天井あるいは壁面上部に取りけられる。なお、ブラケット１６ａ、１６ｂは、図示しない長尺なフレームにより互いに連結されていてもよい。また、このフレームを図示しない取付け金具を介して天井あるいは壁面に取付ける構成としてもよい。
【００２３】
一方のブラケット１６ａには、一対の給電ブラシ５２が３系統設けられている。これらの給電ブラシ５２は、枢軸部３２ｂに設けられた給電端子３４にそれぞれ接触する。図１に示すように、給電ブラシ５２は、配線５３を介して、ＡＣアダプタ５４に接続されている。ＡＣアダプタ５４は、プラグ５５を介して商用電源に接続される。ＡＣアダプタ５４には、図示しない電源、ＬＥＤの点灯駆動回路、ＬＥＤの点灯を制御するコントローラ、ＯＮ−ＯＦＦスイッチ５６等が設けられている。また、ＡＣアダプタ５４には、面状照明装置１０を操作するための制御信号を無線通信により受信するためのアンテナ及び無線通信回路が設けられていても良い。そして、ＡＣアダプタ５４から給電ブラシ５２、給電端子３４、配線３９を通して、ＬＥＤ基板２８およびＬＥＤ３０に通電することにより、ＬＥＤ３０が点灯する。なお、巻取りパイプ１４の枢軸部３２ｂに設けた環状の給電端子３４と、ブラケット１６ａ、１６ｂに設けた給電ブラシ５２とを用いることにより、巻取りパイプ１４が回転した場合でも、給電ブラシ５２は常時、給電端子３４に接触し、ＬＥＤ３０に通電可能となっている。
【００２４】
図１ないし図６に示すように、導光板１８は、巻取りパイプ１４の長さとほぼ等しい幅、所望の長さ、および均一な厚さを有する矩形シート状に形成されている。本実施形態において、導光板１８は、例えば、熱硬化性ポリウレタン等のウレタン系樹脂で形成され、柔軟性および可撓性を有する透明なフレキシブル導光板１８を用いている。導光板１８は、厚さ約１ｍｍ、硬さ７５°に形成されている。もちろん、導光板１８は高透明なシリコーンゴムで形成しても構わない。
【００２５】
導光板１８は、室内側に向く出射面１８ａ、室外側を向く対向面（裏面）１８ｂ、および、導光板１８の上端（基端）に位置する入射端面（上端面）１８ｃを有している。入射端面１８ｃは、導光板１８の厚さに相当する幅約１ｍｍの上端面である。導光板１８の出射面１８ａには、光を取出すために白色インクで散乱マークＭが形成されている。散乱マークＭは、例えば、ドット状であり、光源近傍のドットの面積は小さく、光源から離れるほどドットの面積を大きくすることにより導光板全体の面輝度が一様になるように調整する。散乱マークＭは、例えば、スクリーン印刷、インクジェット印刷等により形成することができる。なお、導光板１８の全面を光らせる場合は、上記のように、出射面１８ａの全面に散乱マークＭを設けるが、これに限らず、散乱マークＭにより所望の図柄、模様を形成し、この図柄、模様部分のみが浮き出して光るようにすることも可能である。
【００２６】
導光板１８の対向面１８ｂに反射層を設けてもよい。例えば、図として明示していないが対向面１８ｂに広く公知な技術である白色の反射シートを設置することで、対向面１８ｂから出射する光線のリサイクルが可能となり、出射面１８ａの輝度を向上させることができる。また、反射層を設けることにより、導光板１８に外光の遮光機能を持たせることができる。
【００２７】
導光板１８の上端部は、支持体１２に支持および固定され、入射端面１８ｃは、ＬＥＤ３０に所定の隙間を置いて平行に対向している。図４ないし図９は、導光板１８の固定構造を示している。これらの図に示すように、導光板１８の上端部（基端部）は、巻取りパイプ１４のスリット２４を通して巻取りパイプ１４内に挿通され、更に、第１および第２固定部材（固定金具）４０、４１により、支持ベース２２に固定および支持されている。第１および第２固定部材４０、４１は、例えば、Ｌ字形の断面形状を有する細長い金属板であり、巻取りパイプ１４とほぼ等しい長さに形成されている。もちろん、第１および第２固定部材４０、４１は、金属に限らず、樹脂等で形成しても構わない。各固定部材４０、４１は、支持面２２ａに対して垂直に起立する対向面４０ａ、４１ａと、この対向面に突設された複数の押圧突起４２、４４と、を有している。押圧突起４２、４４は、例えば、断面が三角形の突起であり、それぞれ固定部材４０、４１の全長に亘って、かつ、支持面２２ａと平行に延びている。また、複数の押圧突起４２、４４は、支持面２２ａに対して垂直な方向に並んで設けられている。
【００２８】
第１固定部材４０は、ＬＥＤ基板２８を介して支持ベース２２にねじ止めされ、ＬＥＤ基板２８上で複数のＬＥＤ３０の片側に立設されている。第１固定部材４０の対向面４０ａは、支持ベース２２の支持面２２ａおよびＬＥＤ基板２８に対して垂直に起立しているとともに、ＬＥＤ３０の配列方向、すなわち、巻取りパイプ１４の軸方向、と平行に延びている。第２固定部材４１は、ＬＥＤ基板２８を介して支持ベース２２にねじ止めされ、ＬＥＤ基板２８上で、かつ、第１固定部材４０と反対側で、複数のＬＥＤ３０の片側に立設されている。第２固定部材４１の対向面４１ａは、支持ベース２２の支持面２２ａおよびＬＥＤ基板２８に対して垂直に起立しているとともに、ＬＥＤ３０の配列方向、すなわち、巻取りパイプ１４の軸方向、と平行に延びている。また、第２固定部材４１の対向面４１ａは、導光板１８の厚さとほぼ等しい間隔を置いて、第１固定部材４０の対向面４０ａとほぼ平行に対向している。複数のＬＥＤ３０は、第１固定部材４０の対向面４０ａと第２固定部材４１の対向面４１ａとの間に位置している。図８に示すように、第１固定部材４０の押圧突起４２と第２固定部材４１の押圧突起４４とは、頂部同志が互いに対向している。
【００２９】
導光板１８の上端部は、第１固定部材４０と第２固定部材４１の間に位置し、全幅領域に亘り押圧突起４２、４４により両面側から挟持されている。すなわち、第１固定部材４０および第２固定部材４１の押圧突起４２、４４が、導光板１８の表面および裏面に圧接し、導光板１８を挟持して固定している。この際、押圧突起４２、４４は、頂部が導光板１８を押圧し、導光板１８に対して線で接触している。これにより、第１および第２固定部材４０、４１により導光板１８を強固に挟持固定することができる。更に、押圧突起４２、４４により、線あるいは点で導光板１８を押圧する場合、導光板１８を面で押圧する場合に比較して、押圧によって導光板１８から出射する漏れ光の発生を抑制することができる。このように、導光板１８の上端部は、全幅領域に亘って、第１および第２固定部材４０、４１に固定され、導光板１８の入射端面１８ｃは、複数のＬＥＤ３０と所定の隙間を置いて平行に対向している。
【００３０】
固定構造において、押圧突起４２、４４は、その頂部同志が対向するように配置する構成に限らず、図９に示すように、第１固定部材４０の押圧突起４２の頂部と、第２固定部材４１の押圧突起４４の凹所とが対向するように、押圧突起４２、４４を配置してもよい。この構成においても、第１固定部材４０および第２固定部材４１により導光板１８を強固に挟持することができる。
【００３１】
押圧突起４２、４４は、直線状の凸条に限らず、図１０に示すように、長手方向の複数個所で屈曲したジグザグ形状の凸条としてもよい。また、図１１に示すように、固定部材４０、４１の押圧突起４２、４４は、角錐形状の押圧突起を複数並べて形成したローレット状の押圧突起としてもよい。この場合、各押圧突起４２、４４は、その頂点により、導光板１８を点で押圧する。
【００３２】
図４ないし図７に示すように、本実施形態の固定構造において、導光板１８の少なくとも幅方向両端部は、固定ねじ４６により第１および第２固定部材４０、４１にねじ止めされている。すなわち、固定ねじ４６は、例えば、第１固定部材４０側からねじ込まれ、導光板１８を貫通して、第２固定部材４１にねじ込まれている。このように、導光板１８を貫通する固定ねじ４６でねじ止めすることにより、導光板１８をより確実に固定することができる。更に、固定ねじ４６によって第１および第２固定部材４０、４１同志を締結することにより、第１および第２固定部材４０、４１によって一層強固に導光板１８を挟持することができる。導光板１８を貫通する固定ねじ４６により、導光板１８の抜け、すなわち、第１および第２固定部材４０、４１間からの抜け、を確実に防止することができる。
【００３３】
導光板１８の幅方向両端部の２箇所をねじ止めする構成とする場合、図１２に示すように、第１および第２固定部材４０、４１をその長手方向中央部が導光板１８側に凸となるように予め湾曲あるいはベントさせて形成してもよい。このように湾曲した第１および第２固定部材４０、４１を直線状に弾性変形させた状態で支持ベース２２に固定し、更に、固定ねじ４６により、第１および第２固定部材４０、４１の両端部同志を締結することにより、第１および第２固定部材４０、４１の全長に亘って、導光板１８を強固に挟持することができる。
【００３４】
図４ないし図７に示すように、本実施形態の固定構造では、導光板１８の幅方向両端部に限らず、導光板１８の複数個所を、固定ねじ４６により第１および第２固定部材４０、４１にねじ止めしている。導光板１８の先端部に複数の貫通孔４８が形成されている。これらの貫通孔４８は、入射端面１８ｃの近傍に位置しているとともに、導光板１８の幅方向に所定の間隔を置いて並んでいる。固定ねじ４６は、例えば、第１固定部材４０側からねじ込まれ、導光板１８の貫通孔４８を貫通して、第２固定部材４１にねじ込まれている。このように、導光板１８を貫通する固定ねじ４６で、導光板１８の全幅に亘って複数個所をねじと止めすることにより、導光板１８をより確実に固定することができる。更に、固定ねじ４６により第１および第２固定部材４０、４１同志を全長に亘って締結することにより、第１および第２固定部材４０、４１によって一層強固に導光板１８を挟持することができる。導光板１８を貫通する固定ねじ４６により、導光板１８の抜け、すなわち、第１および第２固定部材４０、４１間からの抜け、を確実に防止することができる。
【００３５】
上記のように、導光板１８の複数個所をねじ止めする場合、図１３に示すように、固定ねじ４６を挿通する貫通孔４８は、導光板１８の入射端面１８ｃ近くの、光線が到達しない領域内に設けることが望ましい。  
点光源であるＬＥＤ３０から出射され導光板１８に入射した光は、点から導光板１８の幅方向に所定の角度で徐々に拡散していく。入射端面１８ｃから所定の距離ｄ１だけ伝播する間、光は拡散し、以後、他のＬＥＤ３０から入射した光と共に導光板１８の全幅に亘って導光板１８内を伝播する。このような光の拡散領域において、隣合うＬＥＤ３０間で、入射端面１８ｃの近傍かつＬＥＤ３０を基準として該ＬＥＤ３０からの光の出射方向から所定角度以上となる領域に、光が伝播しない、あるいは光がごく微量（所定量以下）しか伝播しない領域（以下、非到達領域）を生じる。各貫通孔４８は、隣合う２つのＬＥＤ３０間で、入射端面１８ｃの近傍に位置する非到達領域に設けている。固定ねじ４６は、各貫通孔４８を貫通して第１および第２固定部材４０、４１にねじ込まれている。
【００３６】
このような非到達領域に形成された貫通孔４８に固定ねじ４６を挿通することにより、導光板１８内に入射した光は、固定ねじ４６および貫通孔４８の部分を通ることなく導光板１８内を伝播する。そのため、固定ねじ４６が導光板１８を貫通しているにも拘わらず、固定ねじ４６が光の伝播に悪影響を与えることがなく、輝度ムラの発生を抑制することができる。このように、固定ねじ４６による悪影響を生じることなく、導光板１８を全幅に亘って第１および第２固定部材４０、４１にねじ止めすることができ、より確実に、導光板１８を固定することができる。なお、導光板１８において、散乱マークＭは、上述した光の拡散領域（入射端面１８ｃから距離ｄ１の領域）には設けず、拡散領域から導光板８の下端までの領域（ｄ２）に設けられる。
【００３７】
本実施形態では、第１固定部材４０および第２固定部材４１の押圧突起４２、４４による挟持と、固定ねじ４６による導光板１８の複数個所のねじ止めと、を併用して、導光板１８を固定したが、適宜、押圧突起を省略、あるいは、ねじ止めを省略、あるいは両者を省略しても構わない。また、固定ねじ４６の代わりにピン部材が貫通孔４８を挿通して固定しても良い。
【００３８】
なお、本実施形態において、図６および図１３に示すように、導光板１８、上端部の光拡散領域（入射端面から距離ｄ１離れた位置までの領域）は、第１および第２固定部材４０、４１により覆われ、外部から視認不能としている。
【００３９】
図５および図１４に示すように、導光板１８の固定構造において、第１および第２固定部材４０、４１とＬＥＤ基板２８との間で、各固定ねじの周囲に環状のスペーサあるいはワッシャ５０を配置してもよい。通常、ＬＥＤ３０は発光に伴い発熱し、ＬＥＤ基板２８および支持ベース２２が加熱される。上記のように、スペーサあるいはワッシャ５０を挟むことにより、第１および第２固定部材４０、４１の全面がＬＥＤ基板２８に接触することなく、ワッシャを介して一部のみがＬＥＤ基板２８に接触する。これにより、ＬＥＤ基板２８および支持ベース２２から第１および第２固定部材４０、４１および導光板１８への伝熱を抑制することができる。  
なお、図１５に示すように、遮熱要素として、遮熱シート５１をＬＥＤ基板２８と第１および第２固定部材４０，４１との間に配置してもよい。
【００４０】
以上のように、導光板１８は、その上端部が支持体１２に固定および支持され、支持体１２からほぼ垂直に垂下可能であるとともに、巻取りパイプ１４を回転することにより、巻取りパイプ１４の周囲に巻き取ることができる。図１に示すように、導光板１８全体を巻取りパイプ１４から送り出した状態において、導光板１８は、窓前あるいは壁面に、垂下してスクリーンおよび面状の発光部を形成する。この際、導光板１８の下端部にウェイトバー１７が取り付けられていることから、導光板１８は、たるむことなく、平坦な状態に保たれる。光源の非点灯時、導光板１８は日差しや視線を遮るスクリーンとして機能する。また、ＬＥＤ３０を点灯することにより、ＬＥＤ３０から出射した光は、導光板１８の入射端面１８ｃから導光板１８内に入射し、導光板１８の下端まで伝播するとともに、出射面１８ａから室内に出射する。これにより、導光板１８全面が発光し、壁面照明のように柔らかく室内を照明する。このような導光板１８による面状照明は、フロアスタンド等の一般的な照明器具とは異なり、あたかも窓から外光が差し込んでいるかのように見せることで、明るい室内を演出する。
【００４１】
ＡＣアダプタ５４のスイッチ５６をオンとすることにより、給電ブラシ５２、給電端子３４、ＬＥＤ基板２８を通してＬＥＤ３０に通電され、ＬＥＤ３０が点灯する。この場合、コントローラにより、放熱の観点から、導光板１８全体が引き出され垂下している状態でのみ、ＬＥＤ３０への通電を許容するように制御してもよい。例えば、センサにより巻取りパイプ１４の回転位置、あるいは、導光板１８の送り出し位置を検知し、コントローラは、導光板１８全体が引き出され垂下している状態が検知されている場合のみ、給電を許容する構成としてもよい。ＬＥＤ３０を点灯した状態で、導光板１８の巻取りが開始された際、コントローラは、通電を自動的に切るように構成してもよい。また、コントローラは、導光板１８全体が引き出され垂下している状態が検知されている場合に給電するか否かを、ユーザの操作に応じて設定しても良い。
【００４２】
図１に示すように、導光板１８全体を引き出して垂下させた状態において、巻取りパイプ１４の通気孔２６は、上方、例えば、天井側を向いて位置する。また、照明時、ＬＥＤ３０は発熱し、その熱は、ＬＥＤ基板２８および支持ベース２２に伝わり、支持ベース２２から巻取りパイプ１４内に放熱される。また、熱は支持ベース２２から巻取りパイプ１４に伝わり、この巻取りパイプ１４から放熱される。その際、図１６および図１７に示すように、煙突効果により、支持キャップ３２の通気孔３５から巻取りパイプ１４内に空気が流入し、巻取りパイプ１４内を流通した後、巻取りパイプ１４の通気孔２６から室内に流出する。このような空気の自然対流により、巻取りパイプ１４内の熱を外に放熱し、支持ベース２２およびＬＥＤ基板２８を自然冷却することができる。これにより、ＬＥＤ３０、支持体１２および導光板１８の過度の加熱を防止することができる。同時に、ワッシャ−あるいは遮熱シートにより、第１および第２固定部材、および導光板１８への伝熱を抑制することにより、導光板１８の加熱を防止するこができる。
【００４３】
なお、巻取りパイプ１４の通気孔２６は、前述した矩形の長孔あるいはスリット２４に限らず、他の形状、例えば、図１８に示すように、円形の通気孔としてもよい。また、図１９に示すように、巻取りパイプ１４内において、支持ベース２２上にヒートシンク５８を取り付けてもよい。この場合、支持ベース２２の放熱性を向上し、支持体１２およびＬＥＤ３０をより効率よく冷却することが可能となる。支持ベース２２は、板状に限らず、図２０に示すように、半円形の断面を有する形状としてもよい。この場合、支持ベース２２は、支持面２２ａを除く、支持ベース２２の底面が巻取りパイプ１４の内面に密着して配置される。これにより、支持ベース２２の熱を巻取りパイプ１４に効率よく伝熱し、巻取りパイプ１４から外側に放熱することができる。
【００４４】
照明しない場合、あるいは、窓を露出する場合、図２に示したように、巻取りパイプ１４を回転させることにより、導光板１８を巻取りパイプ１４の周囲に巻取り、天井側に収納することができる。例えば、導光板１８の対向面（裏面）１８ｂ側が巻取りパイプ１４の外周面に接する向きで、導光板１８を巻き取る。図５に示したように、支持ベース２２の支持面２２ａは、巻取りパイプ１４の中心軸から離間して設けられ、この支持面２２ａ上から導光板１８の上端部が延出している。そのため、支持ベース２２の支持面２２ａを巻取りパイプ１４の中心軸上に配置する場合に比較して、第１および第２固定部材４０、４１から巻取りパイプ１４のスリット２４までの距離を長くすることができる。そして、この距離を長くすることにより、導光板１８を巻き取る際、第１および第２固定部材４０、４１の近傍での導光板１８の折れ曲がりを抑制することができ、また、導光板１８および固定部に作用する負荷を軽減することができる。
【００４５】
なお、上記のように、支持ベース２２および第１および第２固定部材４０、４１を、巻取りパイプ１４の中心軸に対して偏心して配置した場合、巻取りパイプ１４の重心が回転中心からずれ、巻取りパイプ１４の回転バランスが崩れる。そこで、図２１に示すように、中心軸を挟んで支持ベース２２と反対側で巻き取りパイプの内面にバランサーウェイト６０を取り付けてもよい。これにより、巻取りパイプ１４の回転が安定し、導光板１８を円滑に巻取り、あるいは、送り出しすることができる。
【００４６】
以上のように構成された第１の実施形態および種々の変形例に係る面状照明装置によれば、スクリーン状の導光板１８から発光することにより面状の照明を実現することができ、あたかも窓から外光が差し込んでいるかのように見せることで、明るい室内を演出することができる。例えば、天井灯の出力を抑えた場合でも、面状照明装置による照明により室内を明るく感じさせることができ、室内照明全体でみた消費電力の削減、すなわち、省エネを図ることが可能となる。以上のことから、省エネ効果が高く、多様な照明を可能とする面状照明装置が得られる。
【００４７】
次に、他の実施形態に係る面状照明装置について説明する。以下に説明する他の実施形態において、前述した第１の実施形態と同一の部分には、同一の参照符号を付してその詳細な説明を省略し、第１の実施形態と異なる部分を中心に詳しく説明する。
【００４８】
（第２の実施形態）  
図２２は、第２の実施形態に係るロールスクリーン型の面状照明装置の巻取りパイプ、支持キャップ３２、固定構造部、および導光板１８を示す分解斜視図、図２３は、導光板１８が垂下している状態における巻取りパイプの断面図である。
【００４９】
本実施形態によれば、巻取りパイプ１４の周壁の内、スリット２４の巻取り開始側に位置する所定幅部分は、巻取りパイプ１４の中心軸に向かって円弧状に曲げられ湾曲部１４ｂを形成している。この円弧状の湾曲部１４ｂの中心軸側の端部は、例えば、第１固定部材４０にねじ止め固定されている。また、湾曲部１４ｂは、導光板１８の対向面（裏面）１８ｂ側に設けられ、室内側から見えない位置にある。
【００５０】
図２４に示すように、導光板１８を巻き取る際、巻取りパイプ１４の湾曲部１４ｂは、導光板１８の巻取りガイドとして機能する。すなわち、巻取り初期において、導光板１８は、湾曲部１４ｂに沿って大きく湾曲しながら巻取りパイプ１４の周囲に巻き付く。例えば、導光板１８の対向面（裏面）１８ｂ側が巻取りパイプ１４の外周面および湾曲部１４ｂに接する向きで、導光板１８を巻き取る。これにより、導光板１８巻取り時における導光板１８の折れ曲がりを抑制することができる。  
第２の実施形態において、面状照明装置１０の他の構成は、第１の実施形態と同一である。
【００５１】
なお、第２の実施形態において、図２５に示すように、巻取りパイプ１４のスリット２４の反対側に位置するパイプ端縁にエッジガード６２を装着してもよい。このエッジガード６２は、例えば、合成樹脂により円柱形状に形成されている。エッジガード６２は、巻取りパイプ１４の端縁に嵌合され、巻取りパイプ１４の全長に亘って延び、この端縁全体を覆っている。このようなエッジガードを設けることにより、誤って導光板１８を巻取り方向と反対方向に引っ張り、巻取りパイプ１４の端縁に接触した場合でも、パイプ端縁による導光板１８の損傷を防止することができる。
【００５２】
第２の実施形態において、図２６に示すように、巻取りパイプ１４の周壁の内、スリット２４の巻取り開始側と反対側に位置する所定幅部分を、巻取りパイプ１４の中心軸に向かって円弧状に曲げて第２湾曲部１４ｃを形成してもよい。円弧状の第２湾曲部１４ｃの中心軸側の端部は、例えば、第２固定部材４１にねじ止め固定される。
【００５３】
更に、図２７に示すように、湾曲部に代えて、巻取りパイプ１４の内、スリット２４の巻取り側部分を所定角度、例えば、約９０度分を切除し、大きな開口２５を形成してもよい。この場合、上記開口２５を規定する巻取りパイプ１４の両端縁に、それぞれエッジガード６２、６３が装着される。このような構成においても、導光板１８の巻取り初期において、導光板１８は、エッジガード６３に沿って大きく湾曲しながら巻取りパイプ１４の周囲に巻き付く。これにより、導光板１８巻取り時における導光板１８の折れ曲がりを抑制することができる。
【００５４】
（第３の実施形態）  
図２８は、第３の実施形態に係るロールスクリーン型の面状照明装置の巻取りパイプおよび導光板１８を示す断面図、図２９は、導光板１８の巻取り開始時の巻取りパイプおよび導光板１８の断面図である。
【００５５】
図２８に示すように、本実施形態によれば、ＬＥＤ３０が実装されたＬＥＤ基板２８は、直接、巻取りパイプ１４の内面に貼り付けあるいは固定されている。導光板１８を挿通するためのスリットあるいは開口６６が巻取りパイプ１４に形成され、このスリットあるいは開口６６は、ＬＥＤ基板２８の近傍に位置している。導光板１８の上端部は、開口６６を介して巻取りパイプ１４内に挿通され、ＬＥＤ基板２８に固定されている。導光板１８の固定構造は、第１の実施形態と同様の固定構造を用いる。導光板１８の上端部はＬＥＤ基板２８とほぼ平行に位置し、入射端面１８ｃは、複数のＬＥＤ３０と隙間を置いて平行に対向している。本実施形態において、ＬＥＤ３０は、いわゆるサイドビュー型のＬＥＤを用いる。このＬＥＤ３０は、ＬＥＤ基板２８と平行な方向に光を出射し、導光板１８に入射させる。
【００５６】
上端部が固定された導光板１８は、開口６６を通して支持体１２である巻取りパイプ１４から垂下し、面状の出射面１８ａを形成する。また、図２９に示すように、巻取りパイプ１４を回転することにより、導光板１８は、巻取りパイプ１４の周囲に巻き取られる。
【００５７】
上記のように構成された第３の実施形態によれば、支持ベース２２を省略し、部品点数の削減、軽量化、および構造の簡素化を図ることが可能となる。ＬＥＤ３０およびＬＥＤ基板２８の熱は、巻取りパイプ１４に直接伝熱され、巻取りパイプ１４から外部に放熱される。放熱性の向上を図るため、巻取りパイプ１４の外周面に、フィンあるいはヒートシンクを設けてもよい。
【００５８】
（第４の実施形態）  
図３０は、第４の実施形態に係る面状照明装置において、導光板１８が垂下している状態の巻取りパイプおよび導光板１８の断面図、図３１は、第４の実施形態に係る面状照明装置において、導光板１８および光学シートを示す正面図、図３２は、導光板の一部を巻き取った状態の巻取りパイプおよび導光板の断面図である。
【００５９】
本実施形態によれば、面状照明装置１０は、導光板１８の出射面１８ａおよび対向面（裏面）に重ねて配置された光学シートを備えている。第１光学シートとして、例えば、フレキシブルで透明な防汚シート（拡散シート）７０が出射面１８ａに重ねて設けられ、また、第２光学シートとして、フレキシブルな反射シート７２が対向面に重ねて設けられている。これらの防汚シート７０および反射シート７２は、導光板１８とほぼ等しい寸法の矩形状に形成されている。
【００６０】
図３０および図３１に示すように、導光板１８、防汚シート７０、および反射シート７２の上端部は、第１固定部材４０および第２固定部材４１間に挟持され、かつ、複数の金属の固定ねじ４６により固定部材にねじ止めされ、これら第１および第２固定部材を介してＬＥＤ基板２８および支持ベース２２に固定されている。そして、導光板１８、防汚シート７０、および反射シート７２は、巻取りパイプ１４のスリット２４を通って巻取りパイプ外に延出し、巻取りパイプ１４から垂下する。導光板１８、防汚シート７０、および反射シート７２の下端部（入射端面と反対側の他端部）にウェイトバー１７が固定されている。ウェイトバー１７の長手方向の両端部は、それぞれ導光板１８、防汚シート７０、および反射シート７２を貫通して延びる、例えば、２つの金属の固定ねじ８１により、導光板１８にねじ止めされている。
【００６１】
反射シート７２に複数のガイド孔７４が貫通形成されている。これらのガイド孔７４は、反射シート７２の各側縁部に設けられ、この側縁に沿って所定の間隔を置いて位置している。最下端に位置するガイド孔７４は、ウェイトバー１７で覆われている。各ガイド孔７４は、導光板１８および反射シート７２の長手方向に延びる、すなわち、側縁に沿って延びる長孔に形成され、また、所定の幅を有している。
【００６２】
同様に、防汚シート７０に複数のガイド孔７５が貫通形成されている。これらのガイド孔７５は、防汚シート７０の各側縁部に設けられ、この側縁に沿って所定の間隔を置いて位置している。最下端に位置するガイド孔７５は、ウェイトバー１７で覆われている。各ガイド孔７５は、導光板１８および防汚シート７０の長手方向に延びる、すなわち、側縁に沿って延びる長孔に形成され、また、所定の幅を有している。更に、各ガイド孔７５は、導光板１８を挟んで、反射シート７２のガイド孔７４と対向している、すなわち、整列している。
【００６３】
互いに対向しているガイド孔７４、７５に、接続部材、ガイド部材あるいはガイドピンとして機能する、透明な合成樹脂で形成された固定ねじ７８が挿通されている。すなわち、固定ねじ７８は、例えば、反射シート７２側からガイド孔７４に挿通され、導光板１８を貫通し、更に、防汚シートのガイド孔７５を挿通して延出している。固定ねじ７８の頭８０は、ガイド孔７４の幅よりも大径であり、反射シート７２に対向している。固定ねじ７８の延出端に、ガイド孔７５よりも大径のナット７７あるいはワッシャがねじ込まれ、反射シート７２に対向している。
【００６４】
また、ウェイトバー１７の部分では、固定ねじ８１が反射シート７２からガイド孔７４に挿通され、導光板１８を貫通し、更に、防汚シートのガイド孔７５を挿通して、ウェイトバー１７にねじ込まれている。
【００６５】
このようなガイド孔７４、７５およびこれらに挿通された固定ねじ７８、８１を設けることにより、防汚シート７０および反射シート７２は、導光板１８に対して、導光板１８の長手方向に相対変位可能に支持され、また、導光板１８の幅方向には、変位不能に位置規制されている。
【００６６】
このように、面状照明装置１０のスクリーン部を導光板１８、防汚シート７０、反射シート７２の３層で構成した場合、これらの光学シートを巻取りパイプ１４に巻き取る際、内径と外径の差から表層（防汚シート）と裏層（反射シート）で長手方向（回転軸と直交する方向）の伸びと縮みが発生する。本実施形態によれば、上記のように、ガイド孔７４、７５と固定ねじ７８、８１とにより、防汚シート７０および反射シート７２を導光板１８に対して長手方向に相対変位可能とすることにより、巻取り時の伸びあるいは縮みを吸収することができる。例えば、巻取り径の外周側に位置する防汚シート７０は、導光板１８に対して上方へ変位し、巻取り径の内周側に位置する反射シート７２は、導光板１８に対して下方へ変位することができる。従って、光学シート、導光板１８にしわ等を生じることなく、これら光学シートおよび導光板１８を巻取りパイプ１４の周囲に円滑を巻き取ることができる。なお、導光板１８、防汚シート７０、および反射シート７２の下端部は、ウェイトバー１７で覆われているため、上記相対変位による導光板１８、防汚シート７０、および反射シート７２の位置ずれ部分は、外部から見えない。なお、ここでは長手方向に延びたガイド孔を利用して導光板と光学シートの相対変位を許容しているが、光学シートと導光板１８の一方に固定され他方に対しては摺動可能な部材を用いて光学シートと導光板１８を挟むことにより、これらを相対変位可能に接続してもよい。
【００６７】
第４の実施形態において、面状照明装置の他の構成は、前述した第１の実施形態と同一であり、第１の実施形態と同様の作用効果を得ることができる。
【００６８】
なお、第４の実施形態において、導光板１８と少なくとも一方の光学シート７０又は７２との間に非粘着性部材を配置し、導光板と光学シートの密着あるいは粘着を防止するようにしてもよい。非粘着性部材としては、例えば、非粘着性シートを用いることができる。また、非粘着性部材として、光学シートの表面あるいは裏面、あるいはその両方に形成したコーティング層、例えば、フッ素コーティング層を用いることができる。更に、非粘着性部材として、導光板の表面あるいは裏面、あるいはその両方に形成した散乱マークを用いてもよい。導光板と第１光学シートとの間に第１散乱マークを設け、また、導光板と第２光学シートとの間に第２散乱マークを設けてもよく、この場合、第１散乱マークの形成密度と、第２散乱マークの形成密度とを互いに異なる密度としてもよい。更に、第１散乱マークの形成パターンと、第２散乱マークの形成パターンとを互いに異なるパターンとしてもよい。  
第４の実施形態において、光学シートは、第１光学シートおよび第２光学シートの２枚に限らず、いずれか一方の光学シートのみを設けるようにしてもよく、あるいは、第１光学シートあるいは第２光学シートに重ねて、第３光学シート、あるいは第４光学シートを更に設けてもよい。
【００６９】
第４の実施形態において、光学シートをガイドおよび位置決めする接続部材あるいはガイド部材は、ガイドピンあるいは固定ねじに限定されることなく、種々の部材を選択可能である。例えば、図３３Ａ、図３３Ｂに示すように、ガイド孔７４、７５、および導光板１８を貫通する透明なテグス９０により、光学シート７０、７２、および導光板１８の側縁部を緩く縛ってもよい。また、図３４Ａ、図３４Ｂに示すように、透明な樹脂で形成されたクリップ９２により、光学シート７０、７２、および導光板１８の側縁部をクランプしてもよい。この場合、クリップ９２は、ガイド孔７４、７５を貫通して導光板１８を挟持する一対の押圧突起９４を有している。
【００７０】
なお、第４の実施形態において、例えば、スクリーン部の長さが短い場合などでは、ガイド孔７４、７５はウェイトバー１７の内側となる部分、即ち導光板１８の下端部（他端部）および光学シートの下端部（他端部）にのみ設け、他の部分では省略してもよい。
【００７１】
（第５の実施形態）  
図３５は、第５の実施形態に係る面状照明装置を示す斜視図である。本実施形態では、面状照明装置１０は吊り下げ型の面状照明装置として構成されている。すなわち、面状照明装置１０は、支持体１２として、例えば、矩形箱状の筐体８２を備え、この筐体８２は、天井等に取り付け可能に形成されている。筐体８２内に、支持ベース２２、ＬＥＤ基板２８、複数のＬＥＤが配置されている。導光板１８の上端部は、筐体８２に形成されたスリット２４あるいは開口を通して、筐体８２内に挿通され、第１および第２固定部材４０、４１によりＬＥＤ基板２８および支持ベース２２に固定されている。固定構造は、前述した第１の実施形態と同様の固定構造を用いている。
【００７２】
導光板１８の下端部にウェイトバー１７が取付けられ、導光板１８の幅方向全長に亘って延在している。そして、導光板１８は、筐体８２から垂直に垂下され、面状発光部を構成している。なお、導光板１８は、フレキシブル導光板に限らず、リジッドな導光板を用いることも可能である。
【００７３】
以上のように構成された第５の実施形態に係る面状照明装置によれば、スクリーン状の導光板１８から発光することにより面状の照明を実現することができ、明るい室内を演出することができる。天井灯の出力を抑えた場合でも、面状照明装置による照明により室内を明るく感じさせることができ、室内照明全体でみた消費電力の削減、すなわち、省エネを図ることが可能となる。また、固定構造により、導光板１８を安定して支持および固定することができ、室内の任意の位置に導光板１８を垂下することができる。
【００７４】
（第６の実施形態）  
図３６は、第６の実施形態に係る面状照明装置を示す斜視図である。本実施形態では、面状照明装置１０は立位型の面状照明装置として構成されている。すなわち、面状照明装置１０は、支持体１２として、例えば、矩形箱状の筐体８２を備え、この筐体８２は、床等に載置可能に形成されている。筐体８２内に、支持ベース２２、ＬＥＤ基板２８がほぼ水平に配置されている。更に、ＬＥＤ基板２８上に複数のＬＥＤが実装され、直線状に並んで配置されている。ＬＥＤは、鉛直上方に光を照射する。
【００７５】
導光板１８の下端部は、筐体８２の上壁に形成されたスリット２４あるいは開口を通して、筐体８２内に挿通され、第１および第２固定部材４０、４１によりＬＥＤ基板２８および支持ベース２２に固定されている。入射端面１８ｃとなる導光板１８の下端面は、所定の隙間を置いてＬＥＤに対向している。導光板１８の固定構造は、前述した第１の実施形態と同様の固定構造を用いている。導光板１８は、筐体８２から鉛直方向上方に延出し、起立した面状発光部を形成している。また、入射端面を除く、導光板１８の周縁部に、矩形状のフレーム８４が装着されている。このフレーム８４により、導光板１８は、弛みなく、スクリーン状に立位状態に保持されている。なお、導光板１８は、フレキシブルな導光板１８、あるいは、リジッドな導光板１８のいずれを用いてもよい。
【００７６】
以上のように構成された第６の実施形態に係る面状照明装置によれば、スクリーン状の導光板１８から発光することにより面状の照明を実現することができ、明るい室内を演出することができる。天井灯の出力を抑えた場合でも、面状照明装置による照明により室内を明るく感じさせることができ、室内照明全体でみた消費電力の削減、すなわち、省エネを図ることが可能となる。また、固定構造により、導光板１８を安定して支持および固定することができ、室内の任意の位置に面状発光部を配置することができる。
【００７７】
なお、本発明のいくつかの実施形態および変形例を説明したが、これらの実施形態および変形例は、例として提示したものであり、発明の範囲を限定することは意図していない。これら新規な実施形態および変形例は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７８】
例えば、固定部材は、導光板１８の全幅に亘って連続した部材に限らず、幅方向に沿って複数に分割された固定部材を用いても良い。固定部材は、第１および第２の固定部材に限らず、少なくとも一方の固定部材により導光板を固定する構造としてもよい。導光板は、一枚に限らず、２枚あるいは３枚を積層して配置してもよい。この場合、複数の導光板にそれぞれ色の異なる光を入射する構成としてもよい。
【符号の説明】
【００７９】
１０…面状照明装置、１２…支持体、１４…巻取りパイプ、１４ａ…湾曲部、
１４ｂ…第２湾曲部、１６ａ、１６ｂ…ブラケット、１８…導光板、１８ａ…出射面、
１８ｂ…対向面、１８ｃ…入射端面、２２…ＡＣ／ＤＣ変換回路、
２０…操作チェーン、２２…支持ベース、２２ａ…支持面、４０…トランス基板、
２８…ＬＥＤ基板、３０…ＬＥＤ、３２…支持キャップ、３４…給電端子、
４０…第１固定部材、４１…第２固定部材、４０ａ、４１ａ…対向面、
４２、４４…押圧突起、４６…固定ねじ、４８…貫通孔、５０…ワッシャ、
５１…遮熱シート、５８…ヒートシンク、６０…カウンタウェイト、
６２、６３…エッジガード、７０…防汚シート、７２…反射シート、
７４、７５…ガイド孔、７８、８１…固定ねじ（接続部材）、８２…筐体
【図１】
2016004609.tif 000003
【図２】
2016004609.tif 000004
【図３】
2016004609.tif 000005
【図４】
2016004609.tif 000006
【図５】
2016004609.tif 000007
【図６】
2016004609.tif 000008
【図７】
2016004609.tif 000009
【図８】
2016004609.tif 000010
【図９】
2016004609.tif 000011
【図１０】
2016004609.tif 000012
【図１１】
2016004609.tif 000013
【図１２】
2016004609.tif 000014
【図１３】
2016004609.tif 000015
【図１４】
2016004609.tif 000016
【図１５】
2016004609.tif 000017
【図１６】
2016004609.tif 000018
【図１７】
2016004609.tif 000019
【図１８】
2016004609.tif 000020
【図１９】
2016004609.tif 000021
【図２０】
2016004609.tif 000022
【図２１】
2016004609.tif 000023
【図２２】
2016004609.tif 000024
【図２３】
2016004609.tif 000025
【図２４】
2016004609.tif 000026
【図２５】
2016004609.tif 000027
【図２６】
2016004609.tif 000028
【図２７】
2016004609.tif 000029
【図２８】
2016004609.tif 000030
【図２９】
2016004609.tif 000031
【図３０】
2016004609.tif 000032
【図３１】
2016004609.tif 000033
【図３２】
2016004609.tif 000034
【図３３Ａ】
2016004609.tif 000035
【図３３Ｂ】
2016004609.tif 000036
【図３４Ａ】
2016004609.tif 000037
【図３４Ｂ】
2016004609.tif 000038
【図３５】
2016004609.tif 000039
【図３６】
2016004609.tif 000040